(57)【特許請求の範囲】
【請求項１】
商品に取り付けるための盗難防止装置本体と、この盗難防止装置本体から導出され外部の構造物に取り付けるためのワイヤーを備えた盗難防止装置において、
上記盗難防止装置本体には、商品を取り付けるための係着面と、上記係着面から突設される突設部と、上記突設部から突出するプランジャーと、上記プランジャーと連動してＯＮ／ＯＦＦする検出スイッチと、上記検出スイッチに連動する警報ブザーが設けられ、
上記突設部を商品の凹部にはめ込んで上記盗難防止装置本体の係着面に商品を取り付けた場合、上記プランジャーが上記盗難防止装置本体内に押し込まれ、上記検出スイッチをＯＮにして上記警報ブザーを作動させることを特徴とする盗難防止装置。
【請求項２】
商品に取り付けるための盗難防止装置本体と、この盗難防止装置本体から導出され外部の構造物に取り付けるためのワイヤーを備えた盗難防止装置において、
上記盗難防止装置本体は、商品の取り付け及び離脱を検出する検出スイッチと、上記ワイヤーの離脱を検出するワイヤー離脱検出部と、上記検出スイッチによる商品の離脱の検出、又は上記ワイヤー離脱検出部による上記ワイヤーの離脱の検出に応答して警報ブザー音を発生する警報ブザーと、電源をＯＮ／ＯＦＦする電源スイッチを有し、
上記検出スイッチにより商品の取り付けが検出され、かつ上記電源スイッチがＯＮになったと同時に、上記警報ブザーは、確認ブザーを発生させ、
上記検出スイッチにより商品の取り付けが検出され、かつ上記電源スイッチがＯＮになってから所定時間Ｔ０経過した時点で、上記警報ブザーは、警戒状態セット音を発生すると共に、上記警報ブザー音の発生が可能な警戒状態に入ることを特徴とする盗難防止装置。
【請求項３】
上記電源スイッチをＯＦＦすると、上記警報ブザーは所定時間Ｔ１の間解除ブザー音を発生させることを特徴とする請求項２に記載の盗難防止装置。
【発明の詳細な説明】
【０００１】
【発明の属する技術分野】
この発明は、三脚固定用ネジ穴を有するカメラ等、凹部を有する商品に好適な盗難防止装置、または構造が簡単で取り扱いが容易な盗難防止装置に関するものである。
【０００２】
【従来の技術】
従来例１．
図５は従来の盗難防止装置の側面断面を示す概略図である。図５の盗難防止装置は、商品に取り付ける盗難防止装置本体２００と、盗難防止装置本体２００から導出され商品棚の支柱等に取り付けるためのワイヤー２０２から構成される。ワイヤー２０２にはその途中に連結・離脱可能なコネクタ２０２ａが設けられ、このコネクタ２０２ａを一旦離脱してから商品棚の支柱等にワイヤー２０２を回してその後コネクタ２０２ａを連結することにより、盗難防止装置を構造物側に取り付ける。
【０００３】
盗難防止装置本体２００内には、商品への取り付けを検知する検出スイッチ２１０と、上記ワイヤー２０２の切断及び離脱を検知するワイヤー離脱検出部２３０と、警報ブザー２４０と、電池等の電源２５０が配設されている。また、盗難防止装置本体２００の商品取付面には、粘着テープ３が配設されている。
【０００４】
検出スイッチ２１０は、盗難防止装置本体２００の商品取付面から突出しているプランジャー２１１と、プランジャー２１１に懸架されるコイルバネ２１２を備えている。そして、図５（ｂ）に示すように、盗難防止装置本体２００が粘着テープ３により商品３００に係着されると、プランジャー２１１がコイルバネ２１２に抗して押し込まれ、プランジャー側の可動接点が検出スイッチの固定接点に接触することにより、検出スイッチ２１０がＯＮとなる。一方、盗難防止装置本体２００が商品３００から取り外されると、プランジャー２１１がコイルバネ２１２の弾性力により元の状態に復帰し、検出スイッチ２１０がＯＦＦとなる。
【０００５】
上記図５の盗難防止装置において、検出スイッチ２１０がＯＦＦして商品からの取り外しを検知した場合、若しくはワイヤー離脱検出部２３０がワイヤー２０２の切断及び離脱を検知した場合、警報ブザー２４０から警報音が発するようになっている。
【０００６】
従来例２．
また、図６は特開平１１−１３４５６５号公報に示されたカメラ用盗難防止装置を示す概略図である。図６のカメラ用盗難防止装置は、一部分が開閉可能に形成され、カメラ１００が載置されるボックス状の支持台１０１と、支持台１０１に貫通状態で且つ回転自在に設けられ、支持台１０１の内方から回転操作されてカメラ１００を支持台１０１に固定する取付けネジ１０２と、支持台１０１に設けられ、支持台１０１の開閉可能な部分を閉じた状態でロックするロック機構（図示せず）と、基端部が支持台１０１内に連結固定され、先端部に支持台１０１のみが通過可能な環状部１０４ａを形成した索条１０４から構成されている。また、支持台１０１内には報知器１１５が内蔵され、索条１０４内には報知器１１５から延設するリード線１２２が内設されている。
【０００７】
次に、図６のカメラ盗難防止装置の取り付け方法について説明する。まず、カメラ１００を展示する商品棚１１４の一部分１１４ａ（例えば棚の支柱や脚部分等）に索条１０４の先端部側（環状部１０４ａ側）を巻き回し、索条１０４の環状部１０４ａに支持台１０１を通した後、索条１０４を締める方向へ引っ張る。これによって、索条１０４の先端部側は、棚１１４の一部分１１４ａに巻き付け状態で連結されることになる。次に、キーによりロック機構（図示せず）を操作して支持台１０１の蓋体を開放し、取付けネジ１０２の頭部にレンチ（図示省略）を嵌めると共に、取付けネジ１０２のネジ部にカメラ１００の底に形成した雌ネジ部を嵌め込み、この状態でカメラ１００若しくは取付けネジ１０２を回す。これによって、カメラ１００は取付けネジ１０２を介して支持台１０１に固定された状態となる。そして、カメラ１００を支持台１０１に固定したら、支持台１０１の本体を蓋体で閉塞し、キーによりロック機構を操作して蓋体を閉じた状態でロックする。
【０００８】
【発明が解決しようとする課題】
従来例１の盗難防止装置においては、図５（ｂ）に示すように、薄い金属板のような物質を、矢印Ｄ方向から盗難防止装置本体２００と商品３００との間に挿入することにより、プランジャー２１１を盗難防止装置２００側に押し込ませた状態で盗難防止装置本体２００と商品３００とを取り外すことができる。この場合、検出スイッチ２１０はＯＮ状態のままであるので、警報ブザー２４０が鳴ることはなく、そのまま商品を持ち去ることができる。
【０００９】
また、従来例２のカメラ盗難防止装置は装置構造自体が複雑であり、盗難防止装置の商品への取り付け作業が手間取る問題がある。
【００１０】
更に、従来の盗難防止装置は、盗難防止装置本体を商品に取り付けた時に、盗難防止装置が警戒状態に入っているのか否かの確認、または、盗難防止装置の警戒状態が解除された時の確認の手法がなかった。
【００１１】
この発明は、上記のような問題点を解消するためになされたものであり、薄い金属板等を盗難防止装置本体と商品の間に挿入して、警報ブザーを鳴らさずに盗難防止装置本体と商品を取り外すようなことを防止することを目的とする。
【００１２】
また、簡単な構造でかつ商品への取り付け作業が容易な盗難防止装置を提供する。
【００１３】
更に、盗難防止装置本体を商品に取り付けた時に、盗難防止装置が警戒状態に入っているかを確認することができ、また警戒状態が解除された時の確認もできる盗難防止装置を提供する。
【００１４】
【課題を解決するための手段】
第１の発明による盗難防止装置は、商品に取り付けるための盗難防止装置本体と、この盗難防止装置本体から導出され外部の構造物に取り付けるためのワイヤーを備え、盗難防止装置本体には、商品を取り付けるための係着面と、係着面から突設される突設部と、突設部から突出するプランジャーと、プランジャーと連動してＯＮ／ＯＦＦする検出スイッチと、検出スイッチに連動する警報ブザーが設けられ、突設部を商品の凹部（例えばカメラに設けられた三脚固定用ネジ穴）にはめ込んで盗難防止装置本体の係着面に商品を取り付けた場合、プランジャーが盗難防止装置本体内に押し込まれ、検出スイッチをＯＮにして警報ブザーを作動させる。
【００１５】
第２の発明による盗難防止装置は、商品に取り付けるための盗難防止装置本体と、この盗難防止装置本体から導出され外部の構造物に取り付けるためのワイヤーを備え、盗難防止装置本体は、商品の取り付け及び離脱を検出する検出スイッチと、ワイヤーの離脱を検出するワイヤー離脱検出部と、検出スイッチによる商品の離脱の検出又はワイヤー離脱検出部によるワイヤーの離脱の検出に応答して警報ブザー音を発生する警報ブザーと、電源をＯＮ／ＯＦＦする電源スイッチを有し、検出スイッチにより商品の取り付けが検出され、かつ電源スイッチがＯＮになったと同時に、警報ブザーは、確認ブザーを発生させ、検出スイッチにより商品の取り付けが検出されかつ電源スイッチがＯＮになってから所定時間Ｔ０経過した時点で、警報ブザーは、警戒状態セット音を発生すると共に、警報ブザー音の発生が可能な警戒状態に入る。
【００１６】
第３の発明による盗難防止装置は、第２の発明において、電源スイッチをＯＦＦすると、警報ブザーは所定時間Ｔ１の間解除ブザー音を発生させる。
【００１７】
【発明の実施の形態】
図１（ａ），（ｂ）は、この発明の実施の形態による盗難防止装置を示す側面断面図及び裏面図である。
【００１８】
本実施の形態の盗難防止装置は、カメラ等の商品に係着する盗難防止装置本体１と、盗難防止装置本体１から導出され商品柵の支柱等に取り付けるためのワイヤー２から構成されており、ワイヤー２は、線条部２ａと、盗難防止装置本体１が通り抜け可能な環状部２ｂとを有している。
【００１９】
盗難防止装置本体１は、筐体１ａ及び蓋体１ｂから構成され、蓋体１ｂの表面１ｃには、カメラ等の商品に係着する手段としての粘着テープ３が配設されている。また、盗難防止装置本体１の蓋体１ｂには孔が設けられ、この孔から検出スイッチ１０（後述）のプランジャー１１が突出している。また、蓋体１ｂには、上記突出したプランジャー１１の外周を囲むような突設部５が設けられている。そして、プランジャー１１の一端側には可動接点１１ａが設けられ、この可動接点１１ａと筐体１ａの間にはコイルバネ１２が懸架されている。
【００２０】
盗難防止装置本体１内には回路基板６が配設され、この回路基板６には、後述する検出スイッチ１０、電源スイッチ２０、ワイヤ離脱検出部３０、制御部６０に相当するマイクロコンピュータ、警報ブザー４０、リチウム電池等の電源５０が設けられている。
【００２１】
電源スイッチ２０には、盗難防止装置本体１の側壁から突出しているプッシュ式レバー２１と、蓋体１ｂのスイッチ孔１ｄを通して操作されるスライド式レバー２２が設けられている。
【００２２】
図２は実施の形態による盗難防止装置の回路ブロックを示す構成図である。上述したように、盗難防止装置本体１内には、検出スイッチ１０と、電源スイッチ２０と、ワイヤー離脱検出部３０と、警報ブザー４０と、マイクロコンピュータ等の制御部６０と、リチウム電池等の電源５０が配設されている。
【００２３】
検出スイッチ１０は、盗難防止装置本体１が商品に係着されたか否かを検出するスイッチである。すなわち、盗難防止装置本体１が商品に係着されると、突設部５から突出していたプランジャー１１がコイルバネ１２に抗して図示Ａ方向に押し込まれ、可動接点１１ａが固定接点１０ａに接触することにより、検出スイッチ１０がＯＮとなる。一方、盗難防止装置本体１が商品から取り外されるされると、プランジャー１１がコイルバネ１２の弾性力により元の状態に復帰し、可動接点１１ａが固定接点１０ａから離れることにより、検出スイッチ１０がＯＦＦとなる。
【００２４】
電源スイッチ２０は、盗難防止装置本体１の側壁から突出しているプッシュ式レバー２１を図示Ｂ方向に押し込むことによりＯＮとなり、蓋体１ｂのスイッチ孔１ｄを通して操作されるスライド式レバー２２を押し込んで図示Ｃ方向にスライドさせることによりＯＦＦとなる。なお、この電源スイッチ２０は、ロック機構を有しており、プッシュ式レバー２１を図示Ｂ方向に押し込んでＯＮするとロックされ、プッシュ式レバー２１を戻そうとしても戻すことはできない。つまり、電源スイッチ２０をＯＦＦするためには、スライド式レバー２２を押し込んで図示Ｃ方向にスライドさせなければならない。
【００２５】
ワイヤー離脱検出部３０はワイヤー２の離脱を検出するものであり、ワイヤー２の線条部２ａと環状部２ｂに内設されたリード線８と接続されており、このリード線８の離脱又は切断を検出すると、ワイヤー離脱信号を制御部６０に送信する。
【００２６】
制御部６０は、マイクロコンピュータ等により構成され、検出スイッチ１０からのＯＮ／ＯＦＦ信号、電源スイッチ２０からのＯＮ／ＯＦＦ信号、及びワイヤー離脱検出部３０からのワイヤー離脱信号を入力して、警報ブザー４０の作動を制御し、また電源５０のＯＮ／ＯＦＦ状態を切り替える働きをする。
【００２７】
次に、この発明の実施の形態による盗難防止装置の使用動作を図に基づいて説明する。図３は盗難防止装置の商品への取り付け態様を示す斜視図であり、図４は盗難防止装置の回路動作を示すフローチャート図である。
【００２８】
まず、図３に示すように、商品であるカメラ１００を展示する商品棚１１４の支柱１１４ａに、盗難防止装置のワイヤー２の先端部側（環状部２ｂ側）を巻き回し、ワイヤー２の環状部２ｂに盗難防止装置本体１を通した後、ワイヤー２を締める方向へ引っ張る。これによって、ワイヤー２の先端部側は、商品棚１１４の支柱１１４ａに巻き付け状態で連結される。
【００２９】
次に、盗難防止装置本体１の蓋体１ｂの表面１ｃにある粘着テープ３の離型紙を剥がし、盗難防止装置本体１の蓋体１ｂ側をカメラ１００本体に接着する。この場合、図３（ｂ）に示すように、盗難防止装置本体１の蓋体１ｂに設けられた突設部５が、カメラ１００の三脚固定用のネジ穴１００ａにはまり込む様にする。そうすると、検出スイッチ１０のプランジャー１１は三脚固定用のネジ穴１００ａ底部によって押し込まれて、可動接点１１ａがコイルバネ１２に抗して固定接点に接触し、検出スイッチ１０がＯＮとなる。
【００３０】
その後、盗難防止装置本体１の側壁の電源スイッチ２０のレバー２１を押し込むことにより、電源スイッチ２０をＯＮにする。なお、検出スイッチ１０がＯＮになる前（盗難防止装置本体１を商品に係着する前）に、電源スイッチ２０をＯＮしておいてもよい。
【００３１】
ここで、図４のフローチャートにおいて、電源スイッチ２０及び検出スイッチ１０がＯＮになる（Ｓ１００）と、制御部６０は電源スイッチ２０及び検出スイッチ１０の両方がＯＮになったことを検知し、それと同時に警報ブザー４０を作動させて電池確認ブザー（例えば「ピッ！」音）を鳴らす（Ｓ１０１）。
【００３２】
次に、制御部６０は電源スイッチ２０及び検出スイッチ１０の両方がＯＮになってから所定時間Ｔ０（例えば３秒）経過した時点で盗難防止のための警戒状態に入る。それと同時に、制御部６０は警報ブザー４０を作動させて警戒状態セットブザー（例えば「ピッ！」音）を鳴らす（Ｓ１０２）。
【００３３】
盗難防止装置本体１が警戒状態に入ると、それ以降は、ワイヤー２（リード線８）を切断した場合、このワイヤー２の切断がワイヤー離脱検出部３０によって検出され（Ｓ１０３）、その検出信号が制御部６０に送信され、制御部６０は警報ブザー４０を作動させて警報ブザー音（例えば「ピピピピピ・・・」という断続音）を発する（Ｓ１０５）。また、ワイヤー２内のリード線８をショートさせても上記警報ブザー音が鳴るようにする。
【００３４】
また、盗難防止装置本体１を商品であるカメラ１００から引き剥がすと、検出スイッチ１０のプランジャー１１がコイルバネ１２の弾性力により復帰して、検出スイッチ１０がＯＦＦとなる（Ｓ１０４）。検出スイッチ１０のＯＦＦ信号は制御部６０に送信され、制御部６０は警報ブザー４０を作動させて警報ブザー音（例えば「ピピピピピ・・・」という断続音）を発生させる（Ｓ１０５）。
【００３５】
上記警報ブザー音の停止は、電源スイッチ２０をＯＦＦすることにより行う（Ｓ１０６）。具体的には、盗難防止装置本体１の蓋体１ｂのスイッチ孔１ｄを通して操作されるスライド式レバー２２を押し込んで図２のＣ方向にスライドさせることによりＯＦＦさせる。
【００３６】
電源スイッチ２０をＯＦＦさせると、電源スイッチ２０のＯＦＦ信号が制御部６０に送信され、制御部６０は警報ブザー４０を作動させて、所定時間Ｔ１（例えば３秒間）解除ブザー音（例えば「ピッピッピッピ・・・」音）を発生させ（Ｓ１０７）た後停止する。なお、この解除ブザー音は、警報ブザー音が鳴っているか否かにかかわらず、電源スイッチ２０をＯＦＦさせると所定時間Ｔ１の間鳴るように設定している。
【００３７】
なお、上記実施の形態の説明において、盗難防止装置本体１の突設部５をカメラ１００の三脚固定用のネジ穴１００ａにはまり込む例を示したが、三脚固定用のネジ穴１００ａに限らず商品の凹部に盗難防止装置本体１の突設部５をはめ込むようにしてもよい。
【００３８】
また、上記の説明では、ワイヤー２として線条部２ａと環状部２ｂを有しているものを示したが、従来例１で示したように、ワイヤーの途中に連結・離脱可能なコネクタが設けられているものでも良い。
【００３９】
以上のようにこの発明の実施の形態によれば、盗難防止装置本体１に設けられた突設部５をカメラのネジ穴１００ａ等の商品の凹部にはめ込む様にして、盗難防止装置本体をカメラ等の商品に係着するので、薄い金属板のような物質を盗難防止装置本体１と商品１００との間に挿入させても、突設部５の存在により検出スイッチ１０のプランジャー１１を押し込ませたままの状態にすることはできない。その結果、警報ブザー４０を鳴らすこと無く、商品を持ち去ることができない。
【００４０】
また、この実施の形態の突設部５は、カメラのネジ穴１００ａ等に螺合する雄ネジ形状にすることなく、カメラのネジ穴（商品の凹部）にスンナリはまり込む筒形状とすることに特徴がある。突設部５を雄ネジ形状にしてカメラのネジ穴１００ａ等に螺合するようにすると、盗難防止装置本体１の商品への取り付けに手間取るし、消費者が誤って盗難防止装置本体１を商品から取り外す（ネジ回す）危険が多くなるからである。
【００４１】
【発明の効果】
以上のように、この発明によれば、下記の様な効果を達成することができる。
【００４２】
第１の発明の盗難防止装置によれば、盗難防止装置本体に設けられた突設部を商品の凹部（カメラのネジ穴等）にはめ込む様にして、盗難防止装置本体を商品に係着することができるので、薄い金属板のような物質を盗難防止装置本体と商品の間に挿入させても、突設部の存在により検出スイッチのプランジャーに到達することができず、警報ブザー音を鳴らさないで商品を持ち去ることができない効果がある。
【００４３】
第２の発明の盗難防止装置によれば、検出スイッチにより商品の取り付けが検出され、かつ電源スイッチがＯＮになったと同時に、警報ブザーは、確認ブザーを発生させ、検出スイッチにより商品の取り付けが検出されかつ電源スイッチがＯＮになってから所定時間Ｔ０経過した時点で、警戒状態セット音を発生すると共に、警報ブザー音の発生が可能な警戒状態に入るようにしたので、商品に当該盗難防止装置をセットする者にとって、警戒状態セット音により警戒状態に入ったことが確実に分かるようになる。また、所定時間Ｔ０内の間、盗難防止装置は警戒状態に入らないので、その間、警報ブザー音を鳴らさないで盗難防止装置の商品への取り付け変更を行うことができる。
【００４４】
第３の発明の盗難防止装置によれば、電源スイッチをＯＦＦすると警報ブザーが所定時間Ｔ１の間解除ブザー音を発生するようにしたので、警報ブザー音が発生しているか否にかかわらず、盗難防止装置の警戒状態の解除を広く第三者に知らせることができる。
【図面の簡単な説明】
【図１】  この発明の実施の形態による盗難防止装置を示す側面断面図及び裏面図である。
【図２】  この発明の実施の形態による盗難防止装置の回路ブロックを示す構成図である。
【図３】  この発明の実施の形態による盗難防止装置の商品への取り付け態様を示す斜視図である。
【図４】  この発明の実施の形態による盗難防止装置の回路動作を示すフローチャート図である。
【図５】  従来の盗難防止装置の側面断面を示す概略図である。
【図６】  従来のカメラ用盗難防止装置を示す概略図である。
【符号の説明】
１  盗難防止装置本体、２  ワイヤー、５  突設部、１０  検出スイッチ、
１１  プランジャー、２０  電源スイッチ、３０  ワイヤー離脱検出部、
４０  警報ブザー、５０  電源（電池）、６０  制御部。
【図１】
0003754389.tif 000002
【図２】
0003754389.tif 000003
【図３】
0003754389.tif 000004
【図４】
0003754389.tif 000005
【図５】
0003754389.tif 000006
【図６】
0003754389.tif 000007